(57)【要約】      （修正有）【課題】地震や台風などにより、震動や衝撃が発生する場合にも天井パネルに震動や衝撃が直接伝達されず緩和される天井型耐震衝撃緩衝ユニットを提供する。【解決手段】天井スラブに上部連結ロッドが結合され天井パネルは下部連結ロッドと結合され上、下部連結ロッドが緩衝ユニット１００で連結されてなり、緩衝ユニット１００は、ハウジング本体１１０と上面に形成された結合孔１２０に固定され上部連結ロッドと連結される第１結合ボルト１４０と、底面に形成されたスライディング案内孔１３０を貫通して、内側に設置されるスライディング接触子１７０に固定され下部連結ロッドと連結される第２結合ボルト１５０と、第１及び第２結合ボルト１４０、１５０の第１及び第２固定ワシャー部１４２、１５２に上、下端部が結合され、第２結合ボルト１５０がハウジング本体の中心垂直線上に置かれるようにした復元バネ１８０とを含む天井型耐震衝撃緩衝ユニットとする。【選択図】図３
2020186641.tif 000002
【特許請求の範囲】
【請求項１】
天井スラブ（Ａ）のアンカーボルトに垂直に上部連結ロッド（１０）が結合され、天井パネル（Ｂ）は下部連結ロッド（２０）と結合され、前記上、下部連結ロッド（１０，２０）は緩衝ユニット（１００）で互いに連結される天井型耐震衝撃緩衝ユニットであって、
前記緩衝ユニット（１００）は；
上、下部ハウジング（１１０ａ，１１０ｂ）が互いに対応接続されて内部空間を形成するハウジング本体（１１０）と、
前記ハウジング本体１１０）の上面中央に形成された結合孔（１２０）に固定され、先端は上部連結ロッド（１０）に連結される第１結合ボルト（１４０）と、
前記ハウジング本体（１１０）の底面中央に形成されたスライディング案内孔（１３０）を貫通して、スライディング案内孔（１３０）の内側に設置されるスライディング接触子（１７０）に固定され、先端は下部連結ロッド（２０）に連結される第２結合ボルト（１５０）と、
前記ハウジング本体（１１０）の内部に位置した第１及び第２結合ボルト（１４０,１５０）の第１及び第２固定ワシャー部（１４２，１５２）に上、下端部が結合して弾性支持され、前記第２結合ボルト（１５０）がハウジング本体（１１０）の中心垂直線上に置かれれるようにする復元バネ（１８０）と、を含むことを特徴とする天井型耐震衝撃緩衝ユニット。
【請求項２】
前記ハウジング本体（１１０）は、ギャップ形に設けられ、上下水平面が互いに対応する位置に置かれる上、下部ハウジング（１１０ａ，１１０ｂ）を備え、前記上、下部ハウジング（１１０ａ，１１０ｂ）が互いに異なる直径で重なるように嵌め結合されて内部に空間部を有し、前記上、下部ハウジング（１１０ａ，１１０ｂ）の重なり合う部分に固定ピン（１１２）が嵌め固定されてなることを特徴とする、請求項１に記載の天井型耐震衝撃緩衝ユニット。
【請求項３】
前記ハウジング本体（１１０）の上面中央に結合孔（１２０）が形成され、該結合孔（１２０）に第１結合ボルト（１４０）が上方突出するように固定され、該第１結合ボルト（１４０）に上部連結ロッド（１０）が連結されて天井スラブ（Ａ）のアンカーボルトと垂直に結合されることを特徴とする、請求項１に記載の天井型耐震衝撃緩衝ユニット。
【請求項４】
前記ハウジング本体（１１０）の底面中央に同心円のスライディング案内孔（１３０）が形成され、前記スライディング案内孔（１３０）の周りに沿って上方に折り曲がった環状支持突部（１３２）が形成されて、スライディングベアリング（１６０）を嵌め結合可能になっていることを特徴とする、請求項１に記載の天井型耐震衝撃緩衝ユニット。
【請求項５】
前記環状支持突部（１３２）の外周面に結合され、ボールが上下突出しているスライディングベアリング（１６０）と、前記スライディングベアリング（１６０）のボール上面に接触して横方向にスライディングされ、環状支え突部（１７２）が設けられたスライディング接触子（１７０）と、前記スライディング接触子（１７０）の中央に結合され、スライディング案内孔（１３０）を貫通して下方突出する第２結合ボルト（１５０）とが設けられ、下部連結ロッド（２０）と連結されることを特徴とする、請求項４に記載の天井型耐震衝撃緩衝ユニット。
【発明の詳細な説明】
【技術分野】
【０００１】
本発明は、天井型耐震衝撃緩衝ユニットに関し、より具体的には、地震や台風などによって建築物に震動や衝撃が発生する場合にも、天井に設置される天井パネルに震動や衝撃が直接伝達されずに緩和されるようにした緩衝作用により、天井構造物の堅固な固定状態の維持及び破損の防止を可能にした天井型耐震衝撃緩衝ユニットに関する。
【背景技術】
【０００２】
一般に、建築物の天井には電気工事による各種配線や換気ダクトなどの各種設置物が施工され、外観がよくないため、多数枚の天井パネルを施工して天井を覆うか、或いは外部から汚染空気が流入することを遮断して快適で居心地のよい室内の雰囲気にするために天井を覆う天井パネルを設置する。
【０００３】
上記のように天井に天井パネルを設置するときには、天井スラブに固定されたアンカーボルトに連結ロッドの上端が垂直に連結され、連結ロッドの下端は天井パネルと連結されて天井パネルを支持可能にした手段によって天井を施工している。
【０００４】
しかし、前記天井パネルは天井スラブのアンカーボルトに連結されて垂直に固定される連結ロッドによって支持されるため、地震や台風のような天災地変による震動や強い衝撃が建物に与えられると、この震動や衝撃が天井に固定された天井パネルにかかって前記天井パネルが横方向に強く振れ、天井パネルに設置された天井構造物が分離又は破損して室内の床に落下する大型事故及び人身事故につながる危険性があるという問題点があった。
【先行技術文献】
【特許文献】
【０００５】
【特許文献１】ＫＲ第１０−１８３０８２７号
【特許文献２】ＫＲ第１０−１２７４５６８号
【特許文献３】ＫＲ第１０−１８７００６８号
【特許文献４】韓国実用登録特許第２０−０１８２６５０号
【発明の概要】
【発明が解決しようとする課題】
【０００６】
本発明は、このような問題点を解決するためのもので、天井スラブのアンカーボルトに垂直に上部連結ロッドが結合され、天井パネルは下部連結ロッドに結合されて吊り支持され、前記上、下部連結ロッドは緩衝ユニットで互い連結されて緩衝作用がなされるようにすることによって、地震や台風のような天災地変による震動や強い衝撃が建物に作用して天井スラブのアンカーボルトと結合されている上部連結ロッドに震動や衝撃が伝達されても、天井パネルと結合されている下部連結ロッドは、緩衝ユニットが震動や衝撃を緩和する緩衝作用によって、天井パネルに設置された天井構造物の分離又は破損を防止できるようにした天井型耐震衝撃緩衝ユニットを提供することにある。
【課題を解決するための手段】
【０００７】
本発明は、天井スラブのアンカーボルトに垂直に上部連結ロッドが結合され、天井パネルは下部連結ロッドと結合され、前記上、下部連結ロッドは緩衝ユニットで互いに連結される天井型耐震衝撃緩衝ユニットであって、前記緩衝ユニットは；上、下部ハウジングが互いに対応接続されて内部空間を形成するハウジング本体と、前記ハウジング本体の上面中央に形成された結合孔に固定され、先端は上部連結ロッドに連結される第１結合ボルトと、前記ハウジング本体の底面中央に形成されたスライディング案内孔を貫通して、スライディング案内孔の内側に設置されるスライディング接触子に固定され、先端は下部連結ロッドに連結される第２結合ボルトと、前記ハウジング本体の内部に位置した第１及び第２結合ボルトの第１及び第２固定ワシャー部に上、下端部が結合され、前記第２結合ボルトがハウジング本体の中心垂直線上に置かれ得るようにする復元バネとを含む天井型耐震衝撃緩衝ユニットを特徴とする。
【０００８】
前記ハウジング本体は、ギャップ形に設けられ、上下水平面が互いに対応する位置に置かれる上、下部ハウジングを備え、前記上、下部ハウジングは互いに異なる直径で重なるように嵌め結合して内部に空間部を有し、前記上、下部ハウジングの重なり合う部分に固定ピンが嵌め固定されてなることを特徴とする。
【０００９】
前記天井型耐震衝撃緩衝ユニットは、前記ハウジング本体の上面中央に結合孔が形成され、該結合孔に第１結合ボルトが上方突出するように固定され、前記第１結合ボルトに上部連結ロッドが連結されて天井スラブのアンカーボルトと垂直に結合されることを特徴とする。
【００１０】
前記天井型耐震衝撃緩衝ユニットは、前記ハウジング本体の底面中央に同心円のスライディング案内孔が形成され、前記スライディング案内孔の周りに沿って上方に折り曲がった環状支持突部が形成されて、スライディングベアリングを嵌め結合可能になっていることを特徴とする。
【００１１】
前記天井型耐震衝撃緩衝ユニットは、前記環状支持突部の外周面に結合され、ボールが上下突出しているスライディングベアリングと、前記スライディングベアリングのボール上面に接触して横方向にスライディングされ、環状支え突部が設けられたスライディング接触子と、前記スライディング接触子の中央に結合され、スライディング案内孔を貫通して下方突出する第２結合ボルトとが設置され、下部連結ロッドと連結されることを特徴とする。
【発明の効果】
【００１２】
本発明に係る天井型耐震衝撃緩衝ユニットは、地震や台風などによって建築物に震動や衝撃が発生する場合にも、天井に設置される天井パネルに震動や衝撃が直接伝達されずに緩和されるようにする緩衝作用により、天井パネルに設置される天井構造物の堅固な固定状態の維持、破損の防止及び事故の予防ができる効果がある。
【図面の簡単な説明】
【００１３】
【図１】本発明に係る天井型耐震衝撃緩衝ユニットが設置された状態を概略的に示す前面図である。
【図２】本発明に係る天井型耐震衝撃緩衝ユニットによって天井パネルの衝撃が緩和された状態を概略的に示す前面図である。
【図３】本発明に係る天井型耐震衝撃緩衝ユニットの構成を示す拡大断面図である。
【図４】本発明に係る天井型耐震衝撃緩衝ユニットの構成を示す断面図である。
【図５】本発明に係る天井型耐震衝撃緩衝ユニットの作用状態を示す拡大断面図である。
【発明を実施するための形態】
【００１４】
以下、本発明の好ましい実施例を添付の図面を参照して詳細に説明すると、次の通りである。そして、本発明を説明するに当たり、関連する公知機能或いは構成についての具体的な説明が本発明の要旨を却って曖昧にすると判断される場合にはその詳細な説明を省略する。
【００１５】
本発明は、天井スラブＡのアンカーボルトに垂直に上部連結ロッド１０が結合され、天井パネルＢは下部連結ロッド２０に結合されて吊り支持され、前記上、下部連結ロッド１０，２０は緩衝ユニット１００で互いに連結され、緩衝ユニット１００によって天井パネルＢの緩衝作用がなされるようになっている。
【００１６】
前記緩衝ユニット１００は、上、下部ハウジング１１０ａ，１１０ｂが互いに対応接続されて内部空間を形成するハウジング本体１１０と、前記ハウジング本体１１０の上面中央に形成された結合孔１２０に固定され、先端は上部連結ロッド１０に連結される第１結合ボルト１４０と、前記ハウジング本体１１０の底面中央に形成されたスライディング案内孔１３０を貫通して、スライディング案内孔１３０の内側に設置されるスライディング接触子１７０に固定され、先端は下部連結ロッド２０に連結される第２結合ボルト１５０と、前記ハウジング本体１１０の内部に位置した第１及び第２結合ボルト１４０，１５０の第１及び第２固定ワシャー部１４２，１５２に上、下端部が結合して弾性支持されることによって、第２結合ボルト１５０がハウジング本体１１０の中心垂直線上に置かれるようにする復元バネ１８０とを含む。
【００１７】
前記ハウジング本体１１０は、ギャップ形に設けられ、上下水平面が互いに対応する位置に置かれる上、下部ハウジング１１０ａ，１１０ｂを備え、該上、下部ハウジング１１０ａ，１１０ｂは互いに異なる直径で重なるように嵌め結合されて内部に空間部を有し、前記上、下部ハウジング１１０ａ，１１０ｂの重なり合う部分に固定ピン１１２を嵌めて固定することでハウジング本体１１０が構成される。
【００１８】
前記ハウジング本体１１０の上面中央に結合孔１２０が形成され、該結合孔１２０に第１結合ボルト１４０が上方突出するように固定され、該第１結合ボルト１４０に上部連結ロッド１０が連結されて天井スラブＡのアンカーボルトと垂直に結合される。
【００１９】
前記ハウジング本体１１０の底面中央に同心円のスライディング案内孔１３０が形成され、該スライディング案内孔１３０を貫通してスライディング接触子１７０に固定される第２結合ボルト１５０を基準に、ハウジング本体１１０がスライディング案内孔１３０に沿って横方向にスライディング可能になっており、前記スライディング案内孔１３０の周りに沿って上方に折り曲がった環状支持突部１３２が形成されてスライディングベアリング１６０を嵌め結合させ得るようになっている。
【００２０】
前記環状支持突部１３２の外周面に結合され、ボールが上下突出しているスライディングベアリング１６０と、該スライディングベアリング１６０のボール上面に接触して横方向にスライディングし、環状支え突部１７２が設けられたスライディング接触子１７０と、前記スライディング接触子１７０の中央に結合され、スライディング案内孔１３０を貫通して下方突出する第２結合ボルト１５０が設置され、下部連結ロッド２０に連結された構成となっている。
【００２１】
上記のように、第２結合ボルト１５０の先端に連結される下部連結ロッド２０は天井パネルＢと結合される構成であるので、天井スラブＡと上部連結ロッド１０で結合され、第１結合ボルト１４０に固定されたハウジング本体１１０に震動や衝撃が伝達される場合にも、スライディング接触子１７０に固定された第２結合ボルト１５０にはスライディング接触子１７０のスライディング作用により震動や衝撃が緩和される緩衝作用を果たすことができる。
【００２２】
また、ハウジング本体１１０の上面結合孔１２０に結合固定される第１結合ボルト１４０の第１固定ワシャー部１４２と、ハウジング本体１１０の底面スライディング案内孔１３０を貫通してスライディング接触子１７０に結合固定される第２結合ボルト１５０の第２固定ワシャー部１５２を備え、この第１及び第２固定ワシャー部１４２，１５２に復元バネ１８０の上、下端が嵌め結合され、復元バネ１８０によって第１及び第２結合ボルト１４０，１５０がハウジング本体１１０の中心垂直線上に弾性支持されるようにした構成により、第２結合ボルト１５０がハウジング本体１１０の中心垂直線上に置かれるようにする。
【００２３】
これは、天井スラブＡと上部連結ロッド１０で結合され、第１結合ボルト１４０に固定されたハウジング本体１１０が震動や衝撃によって側方移動する場合にも、スライディング接触子１７０によるスライディング作用によって、第２結合ボルト１５０の先端に連結される下部連結ロッド２０は天井パネルＢでは側方移動しないが、第２結合ボルト１５０に固定された復元バネ１８０が歪んで、第２結合ボルト１５０がハウジング本体１１０底面の中央位置に置かれるようにする復元機能を果たす。
【００２４】
このような本発明の天井型耐震衝撃緩衝ユニットの実施例を添付の図面によって詳細に説明すると、次の通りである。
【００２５】
図１に示すように、天井スラブＡのアンカーボルトに垂直に上部連結ロッド１０が結合され、天井パネルＢは下部連結ロッド２０と結合して吊り支持され、前記上、下部連結ロッド１０，２０は緩衝ユニット１００で互いに連結されている。
【００２６】
このような状態で、図２に示すように、地震や台風のような天災地変による震動や強い衝撃が建物に作用して、天井スラブＡのアンカーボルトに垂直に結合された上部連結ロッド１０に震動や衝撃が伝達されても、下部連結ロッド２０に結合されて天井構造物が設置された天井パネルＢには震動や衝撃が伝達されないが、これは、上、下部連結ロッド１０，２０を互いに連結する緩衝ユニット１００が下部連結ロッド２０に伝達される震動や衝撃を緩和させる緩衝作用によって、天井パネルＢに設置された天井構造物が分離又は破損することを防止するわけである。
【００２７】
すなわち、図５に示すように、本発明の緩衝ユニット１００は、ハウジング本体１１０の上面中央に固定された第１結合ボルト１４０が上部連結ロッド１０に結合されて天井スラブと結合される構成であるので、天井スラブに発生する震動や衝撃がハウジング本体１１０に直ちに伝達されてハウジング本体１１０が側方に移動するなどの揺れが発生することになるが、ハウジング本体１１０の底面中央に形成されたスライディング案内孔１３０を貫通してスライディング接触子１７０に固定された第２結合ボルト１５０はほぼ定位置に置かれる形態であるため、震動や衝撃が直接伝達されず、緩和された緩衝作用によって揺れなどを最小化する。
【００２８】
すなわち、天井スラブＡに発生する震動や衝撃は第１結合ボルト１４０を通じてハウジング本体１１０に伝達されるが、ハウジング本体１１０の底面スライディング案内孔１３０を貫通してスライディング接触子１７０に固定された第２結合ボルト１５０は、震動や衝撃が伝達されず、定位置に置かれるので、第２結合ボルト１５０に結合される天井パネルＢに設置される天井構造物の分離や破損などが防止される。
【００２９】
以上、上記の実施例を参照して本発明を説明したが、本発明の技術思想範囲内で様々な変形実施が可能であることは勿論である。
【符号の説明】
【００３０】
Ａ：天井スラブ                          Ｂ：天井パネル
１０：上部連結ロッド                    ２０：下部連結ロッド
１００：緩衝ユニット                    １１０：ハウジング本体
１１０ａ，１１０ｂ：上、下部ハウジング  １１２：固定ピン
１２０：結合孔                          １３０：スライディング案内孔
１３２：環状支持突部                      １４０：第１結合ボルト
１４２：第１固定ワシャー部              １５０：第２結合ボルト
１５２：第２固定ワシャー部              １６０：スライディングベアリング
１７０：スライディング接触子            １７２：環状支え突部
１８０：復元バネ
【図１】
2020186641.tif 000003
【図２】
2020186641.tif 000004
【図３】
2020186641.tif 000005
【図４】
2020186641.tif 000006
【図５】
2020186641.tif 000007